(57)【要約】【課題】当り面が変形を生じることのない、製作容易で安価な回転金具を提供する。【解決手段】天板部２の両端に脚部３を回転金具によって開脚状態と閉脚状態との間で開閉可能に設けてなる作業台において、回転金具１Ａは、天板部２に固定した取付板５と脚部３に固定した連結板６とを重合させて枢支軸７で回動可能に連結し、取付板５と連結板６とに開脚状態で互いに当接してそれ以上の回動を阻止する当り面８，９を設け、互いに当接する取付板５側の当り面８と連結板６側の当り面９の一方の当り面９は、板材の板厚面をそのまま利用した直線状当り面からなり、他方の当り面８は、板材の端部所要箇所を引き起こしてその引起部Ｐの端面である板厚面部に形成される湾曲状当り面からなる。【選択図】図２
2005232707.tif 000002
【特許請求の範囲】
【請求項１】
天板部の両端に脚部を回転金具によって開脚状態と閉脚状態との間で開閉可能に設けてなる作業台において、
回転金具は、天板部に固定した取付板と脚部に固定した連結板とを重合させて枢支軸で回動可能に連結し、取付板と連結板とに開脚状態で互いに当接してそれ以上の回動を阻止する当り面を設け、取付板側のピン孔から連結板に向けて突出付勢するピンを設けると共に、連結板に開脚状態及び閉脚状態でピンが嵌入係合する係合ピン孔を設けてなり、
互いに当接する取付板側の当り面と連結板側の当り面の何れか一方は、板材の板厚面をそのまま利用した直線状当り面からなり、他方の当り面は、板材の側面部所要箇所を切り起こすか又は板材の端部所要箇所を引き起こすことによって、その切起部又は引起部の端面である板厚面部に形成される湾曲状当り面からなることを特徴とする回転金具。
【発明の詳細な説明】
【技術分野】
【０００１】
本発明は、天板部の両端に開脚状態と閉脚状態との間で開閉可能な脚部を設けてなる作業台において、その脚部を天板部に対し開閉させる回転金具に関するものである。
【背景技術】
【０００２】
図７の(a) は特許文献１に記載されている作業台Ｋを開脚状態で示す正面図、(b) は側面図、(c) は同作業台Ｋを閉脚状態で示す正面図、また図８は同作業台Ｋの回転金具２１の詳細構成を示すもので、(a) は開脚状態での正面図、(b) は閉脚状態の正面図である。この作業台Ｋは、作業用の天板部２の左右両端に、天板部２下面に略平行に折り畳んだ閉脚状態と、下方に向けて起立した開脚状態との間で開閉可能に脚部３が設けられている。脚部３は一対の脚柱３ａ，３ａ間に踏桟３ｂを複数段に横架してなるもので、天板部２の左右両端部の前後端と両脚部３，３の脚柱３ａ，３ａの外側面とが回転金具２１によって開閉回動可能に連結されている。
【０００３】
回転金具２１は、図８に示すように、天板部２に固定した鋼板製の取付板５の外側に、脚部３に固定した金属板製の連結板６に連結して構成される。詳しくは、取付板５の天板部２に対する取付部５ａの下端縁に、天板部２の側端から適当範囲に亘って当り面１８が形成されると共に、取付部５ａの下端部中央に枢支軸７が貫通する枢支突部５ｂが形成される。連結板６の脚部３に対する取付部６ａの上端部の一方側から斜め上方に扇形の連結部６ｂが形成され、他方側はＬ字状に折曲されて、開脚状態で取付板５の下端の当り面１８が当接してそれ以上の回動を阻止する当り面１９が形成され、連結部６ｂの下端部に枢支軸７が貫通される。取付板５の取付部５ａの下部にはピン孔１０が形成され、このピン孔１０から連結板６に向けて突出するように圧縮バネ（図示せず）付勢するピン４が設けられ、連結板６の連結部６ｂには脚部３の開脚状態と閉脚状態とで夫々ピン孔１０に合致してピン４が嵌入係合する係合ピン孔１２ａ，１２ｂが形成されている。
【０００４】
而して、作業台Ｋが図７の(c) に示す閉脚状態にある時は、図８の(b) に示すように、取付板５のピン孔１０を貫通したピン４が圧縮バネにより突出付勢されて連結板６の係合ピン孔１２ｂに嵌入係合し、この閉脚状態で脚部３がロックされる。作業台Ｋを使用する時は、ピン４を連結板６の係合ピン孔１２ｂから離脱させ、脚部３を下方に向けて回動することによって、脚部３を開脚状態とする。開脚状態になると、突出付勢されたピン４が連結板６の係合ピン孔１２ａに嵌入係合して、図７の(a) 及び(b) に示す開脚状態にロックされる。
【０００５】
尚、この回転金具２１において、脚部３を開脚状態にロックするために、ピン４及び係合ピン孔１２ａからなるピンロック機構と共に、当り面１８，１９からなるロック機構を併設しているのは、ピンロック機構のみでは、ピン４とピン孔１０及び係合ピン孔１２ａとのクリアランスによって剛性不足やガタツキが生じ、従って当り面１８，１９からなるロック機構を併用することで、その剛性不足やガタツキを改善するためである。
【特許文献１】特開平８−２３２２９９号公報
【発明の開示】
【発明が解決しようとする課題】
【０００６】
特許文献１に記載された作業台Ｋの回転金具２１によれば、作業台Ｋの開脚状態で互いに当接してそれ以上の回動を阻止する当り面１８，１９のうち、取付板５側の当り面１８は、取付板５を形成する鋼板材の板厚面をそのまま利用した直線状当り面からなるものであるが、連結板６側の当り面１９は、連結板６の端部をＬ字状に折曲した折曲端面からなるため、作業台Ｋに過度の荷重が加えられると、上記のようにＬ字状の折曲端面からなる当り面１９が変形を生じ、ストッパーとして機能しなくなるおそれがあった。このような変形をなくするために、板厚の相当に厚いものを使用することも考えられるが、そうすると、材料費が高くつくと共に製作加工が困難となって、回転金具のコストが高いものとなる問題がある。
【０００７】
本発明は、上記の課題に鑑み、板厚を変えるようなことはせず、当り面が変形を生じることのない、製作容易でコストを安くできる回転金具を提供することを目的とする。
【課題を解決するための手段】
【０００８】
上記課題を解決するための手段を、後述する実施形態の参照符号を付して説明すると、  請求項１に係る発明は、天板部２の両端に脚部３を回転金具によって開脚状態と閉脚状態との間で開閉可能に設けてなる作業台において、回転金具１Ａ，１Ｂ，２Ａ，２Ｂは、天板部２に固定した取付板５と脚部３に固定した連結板６とを重合させて枢支軸７で回動可能に連結し、取付板５と連結板６とに開脚状態で互いに当接してそれ以上の回動を阻止する当り面８，９を設け、取付板５側のピン孔１０から連結板６に向けて突出付勢するピン４を設けると共に、連結板６に開脚状態ピン４が嵌入係合する係合ピン孔１２ａを設けてなり、互いに当接する取付板５側の当り面８と連結板６側の当り面９の何れか一方は、板材の板厚面をそのまま利用した直線状当り面からなり、他方の当り面９又は８は、板材の側面部所要箇所を切り起こすか又は板材の端部所要箇所を引き起こして、その切起部Ｑ又は引起部Ｐの端面である、板厚面部に形成される湾曲状当り面からなることを特徴とする。
【発明の効果】
【０００９】
上記解決手段による発明の効果を、後述する実施形態の参照符号を付して説明すると、請求項１の発明によれば、開脚状態の時に互いに当接する取付板５側の当り面８と連結板６側の当り面９のうちの何れか一方が、板材の板厚面をそのまま利用した直線状当り面からなり、他方の当り面が、板材の側面部所要箇所に切り込みを入れてその切り込み部分を前記一方の当り面を横切るような方向に引き起こすことによって形成される切起部Ｑの端面である湾曲状当り面からなるか、又は板材の端部所要箇所を前記一方の当り面横切るような方向に引き起こすことによって形成される引起部Ｐの端面である湾曲状当り面からなるために、作業台に過度の荷重が加えられても、当り面８，９は、従来の回転金具の当り面のように変形を生じるようなことがなく、ストッパー機能を維持することができる。また、一方の当り面は板材の板厚面をそのまま利用したものからなり、他方の当り面は切り起こし又は引き起しによって形成した湾曲状当り面からなるため、製作加工が容易となって、回転金具のコストを安くできる。
【発明を実施するための最良の形態】
【００１０】
以下に本発明の好適実施形態を図面に基づいて説明すると、図１は本発明に係る回転金具１Ａを備えた作業台Ｋ１を示し、図２の(a) は図１の矢印Ｘで囲まれる部分の拡大図、(b) は(a) のイ−イ線拡大断面図、(c) は(a) のロ−ロ線拡大断面図である。この作業台Ｋ１は、図７に示す作業台Ｋと同様に、作業用の天板部２の左右両端に、天板部２下面に略平行に折り畳んだ閉脚状態と、下方に向けて起立した開脚状態との間で開閉可能に脚部３を設けてなるもので、天板部２の左右両端部の前後端と両脚部３，３の脚柱３ａ，３ａの外側面とが回転金具１Ａによって開閉回動可能に連結されている。
【００１１】
回転金具１Ａは、天板部２に固定した鋼板製取付板５の外側に、脚部３に固定した鋼板製の連結板６に連結してなるもので、詳しくは図２の(a) に示すように、取付板５の天板部２に対する取付部５ａの先端部上端側中央に当り面８が形成されると共に、取付部５ａの下端部中央に枢支軸７が貫通する枢支突部５ｂが形成される。また図２の(a) に示すように、連結板６の脚部３に対する取付部６ａの右側縁上端部には、開脚状態で取付板５の当り面８に当接してそれ以上の回転を阻止する当り面９が形成され、連結部６ｂの中央部に枢支軸７が貫通される。取付板５の取付部５ａの下部にピン孔１０が形成され、このピン孔１０から連結板６に向けて突出するように圧縮バネで（図示せず）付勢するピン４が設けられ、そして連結板６の連結部６ｂには脚部３の開脚状態と閉脚状態とで夫々ピン孔１０に合致してピン４が嵌入係合する係合ピン孔１２ａ，１２ｂが形成されている。
【００１２】
この回転金具１Ａにおいて、互いに当接する当り面８，９のうち、連結板６側の当り面９は、図２の(b) 及び(c) に示すように、連結板６を形成する鋼板材の板厚面をそのまま利用した直線状当り面からなる。取付板５側の当り面８は、図２の(c) に示すような湾曲状の当り面からなる。この取付板５側の当り面８を形成するには、取付部５ａの先端部の上端側中央部分を同図の(b) に示すように外側へ（つまり、連結板６側の当り面９を横切るような方向へ）断面円弧状に突出するように引き起こすことによって、その引き起した引起部Ｐの端面である図２の(c) に示す山形湾曲状の板厚面部が当り面８となる。
【００１３】
図３の(a) は図２の(a) に示す回転金具１Ａと同様な回転金具１Ｂであるが、この回転金具１Ｂにおいては、取付板５側の当り面８が、取付板５を形成する鋼板材の板厚面をそのまま利用した直線状当り面からなり、連結板６側の当り面９が図３の(c) に示すような湾曲状の当り面からなる点で、回転金具１Ａとは異なる。この回転金具１Ｂの連結板６側の当り面９を形成するには、連結部６ａの右側縁上端部を図３の(b) に示すように内側へ（つまり、取付板５側の当り面８を横切るような方向へ）山形に突出するように引き起こすことによって、その引き起した引起部Ｐの端面である図３の(c) に示すような山形湾曲状の板厚面部が当り面９となる。
【００１４】
図４は本発明に係る回転金具２Ａを備えた作業台Ｋ２を示し、図５の(a) は図４の矢印Ｙで囲まれる部分の拡大図、(b) は(a) のホ−ホ線拡大断面図、(c) は(a) のヘ−ヘ線拡大断面図である。この作業台Ｋ２の回転金具２Ａは、図５の(a) に示すように、取付板５の連結部５ｂの側面部先端側所要箇所に当り面８が形成され、連結板６の連結部６ｂにはその上端左側端縁部に、開脚状態で取付板５の当り面８に当接してそれ以上の回転を阻止する当り面９が形成される。他の構成は前述した回転金具１Ａ，１Ｂと同じであるから、符号のみ付して説明を省略する。
【００１５】
この回転金具２Ａにおいて、連結板６側の当り面９は、図２の(b) に示すように、連結板６を形成する鋼板材の板厚面をそのまま利用した直線状当り面からなる。取付板５側の当り面８は、図２の(b) 及び(c) に示すような湾曲状の当り面からなる。この取付板５側の当り面８を形成するには、取付部５ａの側面部先端側所要箇所に切り込み（図示省略）を入れて、その切り込み部分を、同図の(c) に示すように断面円弧状に突出するように外側へ（つまり、連結板６側の当り面９を横切るような方向へ）引き起こすことによって、その切起部Ｑの端面である図２の(b) 及び(c) に示すような山形湾曲状の板厚面部が当り面８となる。
【００１６】
図６の(a) は図５の(a) に示す回転金具２Ａと同様な回転金具２Ｂであるが、この回転金具２Ｂにおいては、取付板５側の当り面８（連結部５ｂの下端縁部に形成される）が、取付板５を形成する鋼板材の板厚面をそのまま利用した直線状当り面からなり、連結板６側の当り面９が引き起こしによって形成された湾曲状の当り面からなる点が、回転金具２Ａと異なる。この回転金具２Ｂの連結板６側の当り面９を形成するには、連結部６ａの側面部の左側所要箇所に切り込み（図示省略）を入れて、その切り込み部分を図６の(b) に示すように断面円弧状に突出するように内側へ（つまり、取付板５側の当り面８を横切るような方向へ）引き起こすことによって、その切起部Ｑの端面である湾曲状の板厚面部が当り面９となる。
【００１７】
以上の実施形態の説明から分かるように、本発明の回転金具１Ａ，１Ｂ，２Ａ，２Ｂにあっては、作業台Ｋ１，Ｋ２が開脚状態となった時に互いに当接する取付板５側の当り面８と連結板６側の当り面９のうちの何れか一方の当り面８又は９が、鋼板材の板厚面をそのまま利用した直線状当り面からなり、他方の当り面９又は８が、鋼板材の側面部所要箇所に切り込みを入れてその切り込み部分を前記一方の当り面８又は９を横切るような方向に引き起こすことによって形成される切起部Ｑの端面である湾曲状当り面からなるか、又は鋼板材の端部所要箇所を前記一方の当り面８又は９を横切るような方向に引き起こすことによって形成される引起部Ｐの端面である湾曲状当り面からなるため、作業台Ｋに過度の荷重が加えられても、この当り面８，９は、図８に示されるような従来の回転金具２１の当り面１８，１９のように変形を生じるようなことがなく、ストッパー機能を維持することができる。
【００１８】
また、一方の当り面８又は９は板材の板厚面をそのまま利用したものからなり、他方の当り面９又は８は切り起こし又は引き起しによって形成した湾曲状当り面からなるため、製作加工が容易となって、回転金具１Ａ，１Ｂ，２Ａ，２Ｂのコストを安くできる。
【図面の簡単な説明】
【００１９】
【図１】本発明に係る回転金具１Ａを備えた作業台Ｋ１の正面図である。
【図２】(a) は図１の矢印Ｘで囲まれる部分の拡大図、(b) は(a) のイ−イ線拡大断面図、(c) は(a) のロ−ロ線拡大断面図である。
【図３】(a) は回転金具１Ａと同様な回転金具１Ｂであるが、当り面の設けられた位置が異なる場合を示す図２の(a) と同様な拡大図、(b) は(a) のハ−ハ線拡大断面図、(c) は(a) のニ−ニ線拡大断面図である。
【図４】本発明に係る回転金具２Ａを備えた作業台Ｋ２の正面図である。
【図５】(a) は図４の矢印Ｙで囲まれる部分の拡大図、(b) は(a) のホ−ホ線拡大断面図、(c) は(a) のヘ−ヘ線拡大断面図である。
【図６】(a) は回転金具２Ａと同様な回転金具２Ｂであるが、当り面の設けられた位置が異なる場合を示す図５の(a) と同様な拡大図、(b) は(a) のト−ト線拡大断面図である。
【図７】(a) は特許文献１に記載されている従来の作業台Ｋを開脚状態で示す正面図、(b) は側面図、(c) は同作業台Ｋを閉脚状態で示す正面図である。
【図８】同作業台Ｋの回転金具２１の詳細構成を示すもので、(a) は開脚状態での正面図、(b) は閉脚状態の正面図である。
【符号の説明】
【００２０】
Ｋ１，Ｋ２    作業台
１Ａ，１Ｂ    回転金具
２Ａ，２Ｂ    回転金具
２            天板部
３            脚部
４            ピン
５            取付板
６            連結板
７            枢支軸
８，９        当り面
１０          ピン孔
Ｐ            引起部
Ｑ            切起部
【図１】
2005232707.tif 000003
【図２】
2005232707.tif 000004
【図３】
2005232707.tif 000005
【図４】
2005232707.tif 000006
【図５】
2005232707.tif 000007
【図６】
2005232707.tif 000008
【図７】
2005232707.tif 000009
【図８】
2005232707.tif 000010